(57)【要約】【課題】自己のペットのみが自由に出入りすることができ、尚且つ、自己のペットが夜間ときに近所周辺に徘徊することを防ぐことができるペット用開閉扉システムを提供することを目的とする。【解決手段】ペットが出入りする出入扉と、ペットに取り付けられＩＤ情報を送信するマイクロチップと、出入扉の室外側に設置され、ペットが室外から室内に入室するときにマイクロチップのＩＤ情報を受信するリーダー部と、リーダー部が読み取ったＩＤ情報が特定のＩＤ情報であった場合に出入扉を解錠する入室電気錠と、予め設定された時刻内のときペットが室内から室外へ外出できるよう出入扉を解錠する外出電気錠と、入出電気錠と外出電気錠の施解錠制御を行う電気錠制御部を備えたことを特徴とする。【選択図】図１
2010174527.tif 000002
【特許請求の範囲】
【請求項１】
ペットが出入りする出入扉（１０１）と、ペットに取り付けられＩＤ情報を送信するマイクロチップ（１０２）と、前記出入扉の室外側に設置され、ペットが室外から室内に入室するときに前記マイクロチップの前記ＩＤ情報を受信するリーダー部（１０３）と、前記リーダー部が読み取った前記ＩＤ情報が特定のＩＤ情報であった場合に前記出入扉を解錠する入室電気錠（１０４）と、予め設定された時刻内のときペットが室内から室外へ外出できるよう前記出入扉を解錠する外出電気錠（１０５）と、前記入出電気錠と前記外出電気錠の施解錠制御を行う電気錠制御部（１０６）を備えたことを特徴とするペット用扉開閉システム。
【請求項２】
前記リーダー部が読み取った前記ＩＤ情報が特定のＩＤ情報であった場合に発報するスピーカ（１０７）を備えたことを特徴とする請求項１記載のペット用扉開閉システム。
【発明の詳細な説明】
【技術分野】
【０００１】
本発明はペット用扉開閉システムに係り、特に、ペットが出入りする扉に電気錠を設け、自己のペットのみを通過させることができるペット用扉開閉システムに関する。
【背景技術】
【０００２】
従来から犬や猫などのペットが家庭内に自由に出入りするようにするため、玄関戸などに小さいペット用の開閉扉を設けたものが存在している。例えば、特許文献１に示すように、ペットにＩＤを送信するワイヤレス送信器を取り付け、自己のペットのみを自由に出入りさせていた。
【先行技術文献】
【特許文献】
【０００３】
【特許文献１】特開平０４−０３１５８０公報
【発明の開示】
【発明が解決しようとする課題】
【０００４】
しかしながら、いつでも自己のペットが室外に外出できるため、夜間に外出すると、鳴き声等で近所周辺の住民に迷惑を掛けてしまっていた。
本発明の目的は、この難点を解決するためになされたもので、自己のペットのみが自由に出入りすることができ、尚且つ、夜間時に自己のペットが近所周辺を徘徊することを防ぐことができるペット用扉開閉システムを提供することを目的とする。
【課題を解決するための手段】
【０００５】
上記課題を解決するために、請求項１に記載の発明は、ペットが出入りする出入扉と、ペットに取り付けられＩＤ情報を送信するマイクロチップと、出入扉の室外側に設置され、ペットが室外から室内に入室するときにマイクロチップのＩＤ情報を受信するリーダー部と、リーダー部が読み取ったＩＤ情報が特定のＩＤ情報であった場合に出入扉を解錠する入室電気錠と、予め設定された時刻内のときペットが室内から室外へ外出できるよう出入扉を解錠する外出電気錠と、入出電気錠と外出電気錠の施解錠制御を行う電気錠制御部を備えたことを特徴とする。
【０００６】
請求項２に記載の発明は、リーダー部が読み取ったＩＤ情報が特定のＩＤ情報であった場合に発報するスピーカを備えたことを特徴とする。
【発明の効果】
【０００７】
本発明によれば、自己のペットの入室を自由にすることができ、尚且つ、特定の時刻のときはペットの外出をしないようにすることができる。
【発明を実施するための最良の形態】
【０００８】
以下、本発明によるペット用扉開閉システムを適用した好ましい形態の実施例について、図を参照して説明する。図１はペット用扉開閉システムのシステム構成図であり、ＩＤ情報を送信するためのマイクロチップ１０２と、マイクロチップ１０２からのＩＤ情報を受信するためのリーダー部１０３と、室外から室内に入室するときに出入扉１０１を解錠する入室電気錠１０４と、室内から室外へ外出するときに出入扉１０１を解錠する外出電気錠１０５と、入室電気錠１０４と外出電気錠１０５の施解錠制御をする電気錠制御部１０６と、リーダー部１０３でＩＤ情報を受信したとき、発報するスピーカ１０７と、出入扉１０１に備えられた磁石１０９に相対する位置の扉枠に設置された磁気センサ１０８とで構成されている。図２はペット用扉開閉システムの概観図を示した図であり、図３はペット用扉開閉システムの出入扉１０１が開閉したときの動作図である。
【０００９】
このようなペット用扉開閉システムにおいて動作説明を行う。
ペットが室内に入室するとき、ペットの首元に取り付けられたマイクロチップ１０２のＩＤ情報を、出入扉１０１の室外側に設置されたリーダー部１０３が受信し、電気錠制御部１０６に送信する。電気錠制御部１０６は、受信したＩＤ情報と予め登録されたＩＤ情報と比較して一致すると、入室電気錠１０４に解錠信号を送信する。すると、入室電気錠１０４は図３（ａ）のように閂を下方に移動するため、出入扉１０１を室外から室内方向へ押すことで開扉することができる。このとき、電気錠制御部１０６からスピーカ１０７に発報信号を送信し発報することで、居住者にペットが帰宅したことを伝えることができる。
【００１０】
その後、ペットが出入扉１０１を開扉し入室すると、扉枠に設置された磁気センサ１０８は磁石１０９の磁気を感知できない状態となる。その後、ペットが出入扉１０１を通過し出入扉１０１が閉扉されると、再び、磁気センサ１０８は磁石１０９の磁気を感知する状態となる。このとき、電気錠制御部１０６から入室電気錠１０４に施錠信号が送信され、施錠信号を受信した入室電気錠１０４は、閂を上方に移動し、室外から室内方向へ押しても入出扉１０１を閉扉の状態を保ち続ける。
【００１１】
また、電気錠制御部１０６には時計（図示せず）を備えており、予め設定された外出電気錠解錠時刻となったとき、外出電気錠１０５に解錠信号を送信する。すると、外出電気錠１０５は図３（ｂ）のように閂が下方に移動し、出入扉１０１を室内から室外方向へ押すことで開扉することができる。そして、予め設定された外出電気錠施錠時刻となったとき、電気錠制御部１０６から外出電気錠１０５に施錠信号が送信され、施錠信号を受信した外出電気錠１０５は、閂を上方に移動し、室内から室外方向へ押しても入出扉１０１を閉扉の状態を保ち続ける。また、ペットが室内から室外へ外出するときは、図３（ｂ）のように、出入扉１０１が、マイクロチップ１０２からリーダー部１０３へのＩＤ情報の送信を防ぐため、スピーカ１０７による発報はされない。
【００１２】
従って、自己のペットは自由に室内に入室することはできるが、他のペットは入室を禁止することができる。また、自己のペットでも室外に外出する時間を定めることができるため、夜間時に近所周辺に徘徊することを防ぐことができる。
【図面の簡単な説明】
【００１３】
【図１】本発明にかかるペット用扉開閉システムの実施例を示すシステム構成図である。
【図２】本発明にかかるペット用扉開閉システムの概観図である。
【図３】本発明にかかるペット用扉開閉システムの動作説明図である。
【符号の説明】
【００１４】
１０１・・・                    出入扉
１０２・・・                    マイクロチップ
１０３・・・                    リーダー部
１０４・・・                    入室電気錠
１０５・・・                    外出電気錠
１０６・・・                    電気錠制御部
【図１】
2010174527.tif 000003
【図２】
2010174527.tif 000004
【図３】
2010174527.tif 000005